(57)【要約】【課題】電源交換の前における操作部の位置を変更して、電源をオン或いはオフにする。【解決手段】電池を収納可能な装置本体１０と、前記電池が収納された状態において装置本体１０と結合して、蓋となる蓋体２０と、前記電池により供給される電源をオンとするオン位置からオフとするオフ位置までの間を移動する操作部２２と、前記操作部２２がオン位置またはオフ位置のいずれか所定位置にない場合に、前記装置本体１０から前記蓋体２０の取り外し又は結合に応じて前記操作部２２を前記所定位置へ移動させて保持する移動保持手段とを具備する。【選択図】図５
2011060734.tif 000002
【特許請求の範囲】
【請求項１】
電池を収納可能な装置本体と、
前記電池が収納された状態において装置本体と結合して、蓋となる蓋体と、
前記電池により供給される電源をオンとするオン位置からオフとするオフ位置までの間を移動する操作部と、
前記操作部がオン位置またはオフ位置のいずれか所定位置にない場合に、前記装置本体から前記蓋体の取り外し又は結合に応じて前記操作部を前記所定位置へ移動させて保持する移動保持手段と
を具備することを特徴とする電子装置。
【請求項２】
電源供給経路に設けられ、該供給経路を開閉するスイッチ接点をさらに具備し、
前記操作部は、前記スイッチ接点を移動させ前記電源供給経路を開閉させるためにオン位置からオフ位置までの間を移動する
ことを特徴とする請求項１に記載の電子装置。
【請求項３】
前記移動保持手段は、蓋体の装置本体への結合操作に拘らず、操作部の保持を継続することを特徴とする請求項１又は２のいずれかに記載の電子装置。
【請求項４】
前記移動保持手段は、前記操作部をオン位置に保持する
ことを特徴とする請求項１乃至３のいずれか１項に記載の電子装置。
【請求項５】
前記蓋体は、装置本体に対して回動あるいはスライドすることにより取り外し及び結合がなされる
ことを特徴とする請求項１乃至４のいずれか１項に記載の電子装置。
【請求項６】
前記操作部は円弧状の溝部に沿ってオン位置からオフ位置までの間を移動する
ことを特徴とする請求項１乃至５のいずれか１項に記載の電子装置。
【請求項７】
前記操作部は前記蓋体に押し込まれることでオフ位置からオン位置までの間を移動する
ことを特徴とする請求項１乃至５のいずれか１項に記載の電子装置。
【請求項８】
前記操作部は前記蓋体に設けられる
ことを特徴とする請求項１乃至７のいずれか１項に記載の電子装置。
【請求項９】
生体信号を測定可能な生体信号測定部をさらに具備する
ことを特徴とする請求項１乃至８のいずれか１項に記載の電子装置。
【発明の詳細な説明】
【技術分野】
【０００１】
この発明は、電池により電力を得て動作する電子装置に関し、特に、電池交換の後に必ず電源がオン（あるいはオフ）となっていることが保証される電子装置に関するものである。
【背景技術】
【０００２】
例えば、医療用テレメータ装置においては、患者に常に帯同させて生体情報を得て送信する動作を行うものであり、患者に帯同させているときには基本的に電源オンの状態で使用される。そして、電池交換が必要になると、医療従事者等が装置の蓋を開けて電池交換を行い、蓋を閉めて再び電源をオンとして測定を継続させるような使われ方がされる。
【０００３】
従って、従来の医療用テレメータ装置においては、電池交換の後に通常は電源オンであることが必要であり、電池交換に際して電源オフとした場合には操作が煩わしく、作業効率が悪いという問題があった。さらに、電池交換後に電源オンにするのを忘れてしまう場合も想定された。
【０００４】
ここで、電源スイッチをなくし、電池交換により電源のオン/オフを切り換える手法も考えられる。しかし、該手法においては使用していない場合にも電源がオンとなり、電池が消耗される為、電源スイッチはなくすことで新たな問題が発生することとなる。
【０００５】
上記に対し、電池収納部の蓋を開けた状態において電池交換スイッチが露出する構成の装置において、電池交換後に蓋の着脱によって自動的に上記電池交換スイッチを所定状態とすることができる構成の装置が知られている（特許文献１、特に図６〜図９とその説明）。
【先行技術文献】
【特許文献】
【０００６】
【特許文献１】特開平５−２２５１４０号公報
【発明の概要】
【発明が解決しようとする課題】
【０００７】
しかしながら、上記の装置においては、電源の操作部を操作者がオン位置からオフ位置へ移動できる構成ではない。従って、電源交換の前における操作部の位置を変更してまで電子装置の電源をオンにし或いはオフにする構成を有するものではない。
【０００８】
本発明は上記のような電子装置の現状に鑑みてなされたもので、その目的は、電池交換の際における蓋体を着脱する操作によって、所要の場合には電源交換の前における操作部の位置を変更して、電源をオンにし或いはオフにすることが可能な電子装置を提供することである。
【課題を解決するための手段】
【０００９】
本発明に係る電子装置は、電池を収納可能な装置本体と、前記電池が収納された状態において装置本体と結合して、蓋となる蓋体と、前記電池により供給される電源をとするオン位置からオフとするオフ位置までの間を移動する操作部と、前記操作部がオン位置またはオフ位置のいずれか所定位置にない場合に、前記装置本体から前記蓋体の取り外し又は結合に応じて前記操作部を前記所定位置へ移動させて保持する移動保持手段とを具備することを特徴とする。
【００１０】
本発明に係る電子装置では、電源供給経路に設けられ、該供給経路を開閉するスイッチ接点をさらに具備し、前記操作部は、前記スイッチ接点を移動させ前記電源供給経路を開閉させるためにオン位置からオフ位置までの間を移動することを特徴とする。
【００１１】
本発明に係る電子装置では、移動保持手段は、蓋体の装置本体への結合操作に拘らず、操作部の保持を継続することを特徴とする。
【００１２】
本発明に係る電子装置では、前記移動保持手段は、前記操作部をオン位置に保持することを特徴とする。
【００１３】
本発明に係る電子装置では、蓋体は、装置本体に対して回動あるいはスライドすることにより取り外し及び結合がなされることを特徴とする。
【００１４】
本発明に係る電子装置では、操作部は円弧状の溝部に沿ってオン位置からオフ位置までの間を移動することを特徴とする。
【００１５】
本発明に係る電子装置では、操作部は蓋体に押し込まれることでオフ位置からオン位置までの間を移動する
ことを特徴とする請求項１乃至５のいずれか１項に記載の電子装置。
【００１６】
本発明に係る電子装置では、前記操作部は前記蓋体に設けられることを特徴とする。
【００１７】
本発明に係る電子装置では、生体信号を測定可能な生体信号測定部をさらに具備することを特徴とする。
【発明の効果】
【００１８】
本発明に係る電子装置は、電池により供給される電源をオンとするオン位置からオフとするオフ位置までの間を移動する操作部を有し、この操作部がオン位置またはオフ位置のいずれか所定位置にない場合に、装置本体から蓋体の取り外しに応じて操作部を所定位置へ移動させて保持する移動保持手段を具備するので、蓋体の取り外しの際に、操作部が所定位置へ移動されて保持されることになり、電池交換の後には電源がオン或いはオフになり、煩わしい操作が不要であり、また、電源をオン或いはオフにする操作を忘れても電源が所定状態となる。よって、作業効率が向上するだけでなく、前記所定状態がオンの場合、電池交換後に該電子装置の電源をオンすることを忘れるといった人為的なミスにより測定できないといった事態をも回避できる。
【００１９】
本発明に係る電子装置では、移動保持手段は、蓋体の装置本体への結合操作に拘らず、操作部の保持を継続するので、蓋体と装置本体を結合した場合にも、蓋体の取り外しの際に、操作部が所定位置へ移動された状態のままとなり、電池交換の後には電源がオン或いはオフとなることが確保される。
【００２０】
本発明に係る電子装置では、蓋体は、装置本体に対して回動あるいはスライドすることにより取り外し及び結合がなされるので、回動あるいはスライドによる蓋体の取り外しの際に、操作部が所定位置へ移動された状態のままとなり、電池交換の後には電源がオン或いはオフとなることが確保される。
【図面の簡単な説明】
【００２１】
【図１】本発明に係る電子装置の第１の実施形態である医療用テレメータを示す斜視図。
【図２】本発明に係る電子装置の第１の実施形態である医療用テレメータを示す斜視図。
【図３】本発明に係る電子装置の第１の実施形態である医療用テレメータの底面図であり、（ａ）は蓋が閉じられた状態を示し、（ｂ）は蓋を開ける過程を示す図。
【図４】本発明に係る電子装置の第１の実施形態である医療用テレメータにおける蓋を開けた状態の斜視図。
【図５】本発明に係る電子装置の第１の実施形態である医療用テレメータにおける蓋体の組立斜視図。
【図６】本発明に係る電子装置の第１の実施形態である医療用テレメータにおける蓋体を構成する回転体の斜視図。
【図７】本発明に係る電子装置の第１の実施形態である医療用テレメータにおける蓋体におけるスイッチ接点を示す平面図。
【図８】本発明に係る電子装置の第１の実施形態である医療用テレメータにおける蓋体の要部を組み立てた状態の斜視図。
【図９】本発明に係る電子装置の第１の実施形態である医療用テレメータにおける蓋体の操作部の動作を説明する平面図。
【図１０】本発明に係る電子装置の第２の実施形態である医療用テレメータにおけるオン状態を示す要部断面。
【図１１】本発明に係る電子装置の第２の実施形態である医療用テレメータにおけるオフ状態を示す要部断面。
【図１２】本発明に係る電子装置の第２の実施形態である医療用テレメータにおける装置本体から外した蓋体の要部断面。
【図１３】本発明に係る電子装置の第３の実施形態である医療用テレメータにおける要部を示す平面図。
【図１４】図１３の裏面を示す平面図。
【図１５】本発明に係る電子装置の第３の実施形態である医療用テレメータにおける要部断面。
【発明を実施するための形態】
【００２２】
以下添付図面を参照して、本発明に係る電子装置の実施例を説明する。各図において、同一の構成要素には同一の符号を付して重複する説明を省略する。第１の実施形態に係る電子装置は医療用テレメータであり、図１に示すように縦長の直方体形状をなす装置本体１０を備えている。装置本体１０の一面にはＬＣＤ等により構成され、測定状態や電池残量などを表示する表示部１１と、測定に必要な諸設定等を行うための操作ボタン１２が設けられている。
【００２３】
装置本体１０を立てた状態の上面には、コネクタを構成するレセプタクル１３Ａ、１３Ｂが設けられており、コネクタの他方を構成するプラグ１４Ａ、１４Ｂが接続可能に構成されている。例えば、プラグ１４Ａには、心電図の電極が接続され、プラグ１４Ｂには、ＳｐＯ2測定用のセンサが接続される。
【００２４】
装置本体１０を立てた状態の底部は蓋体２０となっており、装置本体１０と蓋体２０は結合されている。蓋体２０の底面側には、図２に示すように円弧状の溝部２１が形成され、この溝部２１にはスイッチの操作部２２が挿入されており、スイッチの操作部２２はオン位置からオフ位置までの間を摺動可能となっている。
【００２５】
蓋体２０の底面側には、装置本体１０から蓋体２０を取り外す場合に指先などを当てる手掛かりとするための三日月状の凹部２３が形成されており、蓋体２０の外蓋部２４が図３（ａ）に示す結合位置から左回転により図３（ｂ）に示すように回動可能となっている。外蓋部２４の回動により現れる面は内蓋底板２５の一部である。矢印Ｍは、取り外しの際の回動方向を示すために、切欠されて形成されたマークを示す。
【００２６】
図３（ｂ）の状態から、外蓋部２４を装置本体１０から引き離すように引き出すことにより、内蓋底板２５が装置本体１０の底部から外れて図４に示すような底面凹部１５が現れる。図４は、外蓋部２４と内蓋底板２５を重ねた状態を示しているが、実際には図３（ｂ）の状態で内蓋底板２５を装置本体１０側から引き離すことになる。装置本体１０における底面凹部１５には、内部の電子回路へ電力を供給する電池を収納する収納部１６の開口部が形成されている。また、二つの収納部１６の間には、蓋体２０に備えられている係止片２６の頭部２６Ａを収納する収納部１７の開口部が形成されている。収納部１７内には、係止片２６の頭部２６Ａが回動したときにねじ込みが行われて蓋体２０と装置本体１０とが結合固定される図示せぬ係止部が備えられている。蓋体２０と装置本体１０とは適当な長さの紐体３０により接続され、取り外しの際における蓋体２０の飛散防止などが図られている。
【００２７】
図５には、蓋体２０の組立斜視図が示されている。蓋体２０は図５の下方から上方へ向かって描かれている、外蓋部２４、回転体３１、内蓋底板２５、リング２７、内蓋天板４０、係止片２６を主な構成要素としている。これらはネジ２８により蓋体２０として組み立てられる。
【００２８】
回転体３１の一方の面には図６に示すように、概ね小直方体形状の突起であるスイッチの操作部２２が形成されている。回転体３１は、円盤状であり、円盤の中央にスリーブ３２により囲繞された透孔３３を有し、最外郭の円周部は、大段部３４と小段部３５により小径の円周部へと続いている。スリーブ３２は円筒形状であり、一部が切削された平坦部３２Ａを有する。小段部３５に続く小径の円周部は、渦巻状に延在するアーム片３６の外郭を形成する。大段部３４に続く小径の円周部は、上記アーム片３６の基部３６Ａへ延びている。上記アーム片３６の先端部には、外側へ突出した突起部３６Ｂが形成されている。アーム片３６は、基部３６Ａを中心として内外方向へ撓む可撓性を有している。
【００２９】
内蓋天板４０の中央部には係止片２６の下側にある太径部が挿入される孔４１が穿設されている。この孔４１を中心として長手方向にほぼ等距離の二か所には穴が形成され、一方の穴からは電池の陰極に接する導電体により形成された竹の子バネ４２が突出し、他方の穴には電池の正極に接する接触凸部４３が設けられている。
【００３０】
内蓋天板４０の裏面には、図７に示されるように導電体により形成された電路４４、４５が貼着されて設けられている。電路４４は竹の子バネ４２に電気的に接続されており、電路４５には、内蓋天板４０の表面側へ凸となるように加工された接触凸部４３が設けられている。電路４４の一つの角部からは、内蓋天板４０の裏面に対して垂直に起立するように折り曲げられた撓動片４４Ａが内蓋天板４０の幅方向へ延びるように設けられている。また、電路４５は、上記撓動片４４Ａの先端部へ向かって延びる幅細部４５Ａを有し、その先端は内蓋天板４０の裏面に対して垂直に起立するように折り曲げられて固定側スイッチ接点４５Ｂが形成されている。上記撓動片４４Ａの先端部は、固定側スイッチ接点４５Ｂと対向する可動側スイッチ接点４４Ｂとなっている。
【００３１】
図５に示すように、内蓋底板２５には、内蓋天板４０の周縁部の段部と嵌合するための壁部５１が形成されており、また、内蓋底板２５の中央部には、回転体３１におけるスリーブ３２が挿入される穴５２が形成されている。この穴５２の周辺には、一部が切欠された円環状に突出した台座５３が形成されている。また、台座５３における周縁部の三分の二周程度の部位には、凸壁５４が形成されている。
【００３２】
台座５３には、リング２７が載置される。リング２７は、回転体３１におけるスリーブ３２が挿入される穴５５を有し、穴５５は基本的に円形であるが、一部はスリーブ３２の平坦部３２Ａに対応して直線部５５Ａが形成されている。従って、回転体３１のスリーブ３２がリング２７の穴５５に挿入された状態では、図８に示すようにスリーブ３２とリング２７とは一体的に嵌合される。この状態で回転体３１の操作部２２に指をかけて、操作部２２を溝部２１においてオン位置からオフ位置までの間を摺動させると、スリーブ３２及びリング２７が一体となって回動する構成であってもよい。
【００３３】
リング２７は操作部２２の摺動により回動する。ここで、操作部２２は溝部２１の範囲内で摺動可能である。よって、操作部２２が摺動可能な範囲内で、リング２７は回動可能な構成であってもよい。
【００３４】
リング２７の外周部は、概ね円形であり、スリーブ３２と嵌合して台座５３に載置された状態で、台座５３における凸壁５４が存在しない縁部方向へ突出する突片５６が形成されている。リング２７と突片５６は一体で回動するが、凸壁５４の両終端部５４Ｅがストッパとして機能し、台座５３における凸壁５４が存在しない範囲においてリング２７は回動してもよい。
【００３５】
図８のように、回転体３１と内蓋底板２５とリング２７が組み立てられた状態において、内蓋天板４０が被せられる。操作部２２を外蓋部２４に形成された溝部２１のオン位置に位置付けたときには、リング２７は図７に想像線である一点鎖線によって示されるような状態となり、電路４４の撓動片４４Ａの根元付近に突片５６が位置する。このため、固定側スイッチ接点４５Ｂと対向する可動側スイッチ接点４４Ｂとは接触した状態である。操作部２２を溝部２１のオフ位置側へ回動すると、突片５６は図７における左回りに回動して撓動片４４Ａを電路４４側へ押し離すので、固定側スイッチ接点４５Ｂと対向する可動側スイッチ接点４４Ｂとが離間し、電池から電力が電子回路へ供給されずオフ状態になる。
【００３６】
図５に示されるように、外蓋部２４の内側底面の中央部からは、内側へ向かって突出する軸６１が形成されており、この軸６１の頭部６１Ａは、係止片２６の底部に形成されている図示しない角穴に対応した四角柱形状をなしている。外蓋部２４の内側底面には、図９に示されるように回転体３１の透孔３３に軸６１が挿入された状態で回転体３１が設置される。
【００３７】
外蓋部２４の内側底面において、軸６１に軸支された回転体３１の最外郭の円周部に沿うように円筒状のガイド壁６２が設けられている。ガイド壁６２の内壁には、外蓋部２４を長手方向に延びる線分で上下に二等分する場合に、この線分と交差する二か所の位置に、内側へ突出した突起６３、６４が形成されている。回転体３１の大段部３４に対して突起６３がストッパとして機能し、小段部３５に対して突起６４がストッパとして機能する。
【００３８】
回転体３１の大段部３４に対して突起６３が当接した状態において、アーム片３６の突起部３６Ｂが位置する部位には、図９（ｂ）に示されるようにガイド壁６２の内壁に段部６５が形成されている。この段部６５は、右回り方向に高さが高くされている。図９（ｂ）に示すように回転体３１の大段部３４に対して突起６３が当接した状態においては、アーム片３６の突起部３６Ｂが段部６５に当接しており、このとき操作部２２が溝部２１においてオン位置にある。このとき、回転体３１のスリーブに嵌合されているリング２７の突片５６は、固定側スイッチ接点４５Ｂと対向する可動側スイッチ接点４４Ｂとを接触させる位置にある。
【００３９】
この状態から操作部２２を溝部２１のオフ位置側へ回動（図９において右回り）すると、アーム片３６が撓んで突起部３６Ｂが段部６５の高さを乗り越えてガイド壁６２の内壁を摺動するように進む。更なる回動により、小段部３５に対して突起６４が当接しストッパとして機能する。このとき操作部２２が溝部２１においてオフ位置にある（図９（ａ））。このとき、回転体３１のスリーブに嵌合されているリング２７の突片５６は、固定側スイッチ接点４５Ｂと対向する可動側スイッチ接点４４Ｂとを離間させる位置にある。
【００４０】
上記において、外蓋部２４におけるガイド壁６２の内壁と回転体３１の外周部との結合力（摩擦力）は、図９（ａ）の状態では、回転体３１のスリーブ３２における外壁と内蓋底板２５における穴５２との結合力（摩擦力）に比べて極めて弱い。電池交換の際に蓋体２０を外す場合には、外蓋部２４が内蓋底板２５に対して回動するようになるが（図３参照）、上記の結合力の差により回転体３１は内蓋底板２５に追従する。
【００４１】
一方、図９（ｂ）の状態となると、回転体３１のスリーブ３２における外壁と内蓋底板２５における穴５２との結合力（摩擦力）は、アーム片３６の突起部３６Ｂが段部６５の高さを乗り越えるほど大きくないので、回転体３１は図９（ｂ）の状態に留まる。従って、回転体３１と外蓋部２４の位置関係が図９（ｂ）の状態であると、外蓋部２４が内蓋底板２５に対していずれの方向に回動されても、回転体３１と外蓋部２４の位置関係は図９（ｂ）の状態のままとなる。
【００４２】
従って、電池交換の際に蓋体２０を外す前に、操作部２２が溝部２１においてオフ位置にある（図９（ａ））とき、外蓋部２４が内蓋底板２５に対して回動（図９において右回り）されると、回転体３１は内蓋底板２５に追従して残り、アーム片３６がガイド壁６２の内壁を摺動してアーム片３６の突起部３６Ｂが段部６５に到り、また、回転体３１の大段部３４に対して突起６３が当接して回動が停止される。つまり、電池交換の際に蓋体２０を外す前に、操作部２２が溝部２１においてオフ位置にあったとしても、この操作部２２が溝部２１におけるオン位置に移動され図９（ｂ）の状態とされる。
【００４３】
電池交換の後に外蓋部２４と内蓋底板２５が重なる方向へ外蓋部２４を回動すると、アーム片３６の突起部３６Ｂは段部を乗り越えることはなく、回転体３１は図９（ｂ）の位置に留まった状態で外蓋部２４と共に回動して外蓋部２４と内蓋底板２５が重なる。このため、操作部２２が溝部２１におけるオン位置に位置付けられる。斯くして、電源がオンとされ、電子回路が動作を開始する。
【００４４】
上記に対し、電池交換の際に蓋体２０を外す前に、操作部２２が溝部２１においてオン位置にある（図９（ｂ））と、外蓋部２４が内蓋底板２５に対して回動しても、回転体３１は図９（ｂ）の位置に留まった状態で外蓋部２４と共に回動する。つまり、電池交換の際に蓋体２０を外す前に、操作部２２が溝部２１においてオン位置にあると、この操作部２２が溝部２１におけるオン位置に保持されたままの状態において外蓋部２４が回転体３１を伴って回動する。
【００４５】
更に電池交換の後に外蓋部２４と内蓋底板２５とが重なる方向へ外蓋部２４を回動すると、前述と同様に回転体３１は図９（ｂ）の位置に留まった状態で外蓋部２４と共に回動して外蓋部２４と内蓋底板２５が重なる。このため、電源がオンとされ、電子回路が動作を開始する。
【００４６】
以上の通り、外蓋部２４と内蓋底板２５及び回転体３１は、操作部２２がオン位置またはオフ位置のいずれか所定位置にない場合に、装置本体１０から蓋体２０の取り外しに応じて操作部２２を所定位置へ移動させて保持する移動保持手段を構成する。なお、上記実施形態では、所定位置がオン位置であるが、スイッチ接点の構成を変えることにより、所定位置をオフ位置にすることは当業者に容易である。
【００４７】
図１０〜図１２には、第２の実施形態に係る電子装置の要部構成が示されている。装置本体１０Ａに電子回路が備えられ電池１００により電力が電子回路へ供給される。蓋体２０Ａは、装置本体１０Ａに対し着脱可能であり、着脱構成は第１の実施形態と同じであっても、また、スライドや引き押しによる着脱構造であってもよい。
【００４８】
蓋体２０Ａには、板状の導電体により構成される電路７１が備えられ、電路７１には導電体の竹の子バネ７３と凸部７１Ａが設けられている。凸部７１Ａの直下にはカップ形状の押圧片７４が設けられており、この押圧片７４は、蓋体２０Ａの側壁部から延在する中間天板７５の先端部によって穴部７６の位置に支持されている。押圧片７４の下の蓋体２０Ａにおける底面の穴には、上下にストッパを備える押圧ピン７７が装着されている。押圧ピン７７の上部のストッパと蓋体２０Ａにおける底面の間にはバネ７８が介装され、押圧ピン７７を押圧片７４方向へ付勢している。
【００４９】
押圧ピン７７の上部のストッパの側部には、Ｌ字状の棒体８１が設けられている。棒体８１は、蓋体２０Ａの天板へ通じると透孔８２に基部８１Ａが挿入され、基部８１Ａから直角に折れ曲がるアーム部８１Ｂは可撓性を有する。棒体８１は透孔８２の下側に突出した支持部８３により支持され、アーム部８１Ｂの上部に張り出したストッパ８４の位置まで上昇可能となっている。アーム部８１Ｂの先端部は、押圧ピン７７の上部のストッパと接触するが、アーム部８１Ｂの可撓性により押圧ピン７７を人が操作すると、押圧ピン７７の上部のストッパを介して上部にもまた下部にも移動可能であるが、バネ７８の力により撓むことはない。透孔８２の上部において、ストッパ８４から遠い側は幅広くされた幅広部８８を備え、下方へ狭くなるスロープ８９が形成されている。
【００５０】
電路７１における凸部７１Ａは、電池の正極と接触或いは非接触となるもので、電力の供給経路に設けられ、該供給経路を開閉するスイッチ接点として機能する。電路７１は、蓋体２０Ａ内において上下移動がフリーに保持されている。また、押圧ピン７７は、スイッチ接点を移動させ前記供給経路を開閉させるためにオン位置からオフ位置までの間を移動する操作部を構成する。オン位置は押圧ピン７７を蓋体２０Ａ内に押し込んだ位置（図１０）であり、オフ位置は押圧ピン７７を蓋体２０Ａ内から引き出した位置（図１１）である。
【００５１】
以上の構成において、電池１００が実装され、蓋体２０Ａと装置本体１０Ａとが結合された状態では、人が押圧ピン７７を蓋体２０Ａ内に押し込むと、押圧ピン７７の上部のストッパはアーム部８１Ｂを超えて上部へ移動し、押圧片７４がバネ７８の付勢力で押圧され、その上部に存在する凸部７１Ａが押し上げられて電池１００の正極に接してオン状態となる（図１０）。
【００５２】
上記オン状態において人が押圧ピン７７を蓋体２０Ａから引き出すと、押圧ピン７７の上部のストッパはアーム部８１Ｂを撓ませると共にこれを超えて下部へ移動し、押圧ピン７７の上部のストッパがアーム部８１Ｂの先端部で押させられた状態となる（図１１）。押圧片７４がバネ７８の付勢を受けることなくなり、凸部７３が下方へ移動して電池１００の正極と非接触なオフ状態となる。
【００５３】
上記の図１０に示されたオン状態で電池交換のために蓋体２０Ａを外すと、この状態が維持されオン状態である。電池交換の後に蓋体２０Ａを閉じると図１０に示すオン状態が保持される。
【００５４】
また、上記図１１に示されたオフ状態で電池交換のために蓋体２０Ａを外すと、バネ７８の付勢を受けて押圧ピン７７が上方へ移動される。このとき、押圧ピン７７の上部のストッパはアーム部８１Ｂを乗せた状態において移動するため、棒体８１の基部８１Ａの一部が透孔８２から外へ突出するが、ストッパ８４にこれ以上の上昇を阻止される（図１２）と共に棒体８１は幅広部８８側へ押し出されてスロープ８９を滑り落ちて支持部で支持される。棒体８１は図１０に示される位置に復旧する。この状態では、押圧ピン７７の上部のストッパは押圧片７４をバネ７８の付勢力で上方へ押圧し、その上部に存在する凸部７３が押し上げられて電池１００の正極に接触可能なオン状態の位置へと位置付けられる。
【００５５】
以上の通り、押圧ピン７７、バネ７８、棒体８１及び透孔８２は、操作部である押圧ピン７７がオン位置またはオフ位置のいずれか所定位置にない場合に、装置本体１０Ａから蓋体２０Ａの取り外しに応じて操作部である押圧ピン７７を上記所定位置へ移動させて保持する移動保持手段を構成する。本第２の実施の形態においても電池交換の際に蓋体２０Ａを外す前に、操作部である押圧ピン７７が溝部２１においてオフ位置にあったとしても、この操作部である押圧ピン７７がオン位置に移動される。
【００５６】
図１３〜図１５には、第３の実施形態に係る電子装置の要部構成が示されている。図１３に示す蓋体２０Ｂの内天蓋９０には、第１の実施形態と同様の装置本体１０Ｂの底部に形成された摺動壁を摺動させる摺動溝９１が形成されており、蓋体２０Ｂはスライドにより取り外すことができる。蓋体２０Ｂの内天蓋９０には、竹の子バネ９２Ａと凸部９３Ａが突出している。
【００５７】
図１４に示す蓋体２０Ｂの内天蓋９０の裏面には、竹の子バネ９２Ａが接続された導電体の電路９２と、凸部９３Ａが形成された導電体の電路９３が設けられている。
【００５８】
蓋体２０Ｂの内天蓋９０において、図１３に示す中央部からやや右側には細長の摺動孔９４が穿設されている。摺動孔９４の二長辺には摺動レール９４Ａが形成されている。摺動孔９４には、直方体形状の操作部９５が嵌合されている。摺動レール９４Ａにおける電路９２に近い端部側がオン位置であり、摺動レール９４Ａにおける長手方向の上記オン位置側と反対側端部がオフ位置である。オン位置の近傍には、電路９３に対し、基部９３Ｂにおいて接続した可撓性を有する可撓片９３Ｃが延びており、その先端部は電路９３の平面に対し直角に折り曲げられたスイッチ可動接点９３Ｄとなっている。スイッチ可動接点９３Ｄの近傍には、スイッチ可動接点９３Ｄと対向するスイッチ固定接点９２Ｂが電路９２の平面に対し直角に折り曲げられて形成されている。
【００５９】
操作部９５の側壁において、摺動孔９４における摺動レール９４Ａに対応する位置には摺動溝９５Ａが形成されており、操作部９５はオン位置とオフ位置の間を摺動可能に構成されている。操作部９５はオン位置に位置付けられたときスイッチ可動接点９３Ｄを対向するスイッチ固定接点９２Ｂへ押し付け、電源オンの状態となる。
【００６０】
摺動レール９４Ａは、摺動孔９４の側方向から見た状態で図１５に示すように、中央部よりややオン位置に近い部分に段部９４Ｂを有し、オン位置に近い位置では操作部９５が沈み、オフ位置に近い側では操作部９５が突出する。
【００６１】
図１５に示すように、装置本体１０Ｂの底面において、摺動孔９４のオフ位置側端部と対応する位置には段部９６が形成されており、段部９６より外側の部分は蓋体２０Ｂ側へ突出した凸部９６Ａとなっている。また、装置本体１０Ｂの底面において、段部９６より中央側の部分は蓋体２０Ｂと間隙を有する凹部９６Ｂとなっている。凸部９６Ａと凹部９６Ｂとの間の寸法は、摺動レール９４Ａにおける段部９４Ｂにおける段差寸法に相当する。
【００６２】
蓋体２０Ｂを取り外す場合には、蓋体２０Ｂを図１５の矢印Ｓの方向へスライドさせると、蓋体２０Ｂに形成された摺動溝９１を装置本体１０Ｂの底部に形成された摺動壁が摺動し、蓋体２０Ｂをスライドにより取り外すことができる。このとき、操作部９５がオフ位置にあると、装置本体１０Ｂの段部９６が操作部９５の頭部を押圧してオン位置側へ移動させ、摺動レール９４Ａにおける段部９４Ｂを操作部９５が超えてオン位置側へ到る。この状態では操作部９５が沈み込み、装置本体１０Ｂの段部９６は操作部９５の頭部を押圧しなくなる。
【００６３】
以上の通り、摺動孔９４、摺動レール９４Ａ及び段部９６は、操作部９５がオン位置またはオフ位置のいずれか所定位置にない場合に、装置本体１０Ｂから蓋体２０Ｂの取り外しに応じて上記操作部９５を所定位置へ移動させて保持する移動保持手段を構成する。本第３の実施の形態においても電池交換の際に蓋体２０Ｂを外す前に、操作部９５が摺動孔９４においてオフ位置にあったとしても、この操作部２２がオン位置に移動される。電池交換の後に蓋体２０Ｂを図１５の矢印Ｓとは逆方向へスライドさせると、沈み込んだ操作部９５は何等の影響を受けることなく操作部９５はオン位置に位置付けられており、スイッチ可動接点９３Ｄを対向するスイッチ固定接点９２Ｂへ押し付け、電源オンの状態となる。
【符号の説明】
【００６４】
１０、１０Ａ、１０Ｂ  装置本体
１１  表示部
１２  操作ボタン
２０、２０Ａ、２０Ｂ  蓋体
２２  操作部
２４  外蓋部
２５  内蓋底板
２６、２６Ａ  係止片
２７  リング
３１  回転体
３６  アーム片
３６Ｂ  突起部
４０  内蓋天板
４４、４５  電路
４５Ｂ  固定側スイッチ接点
６２  ガイド壁
７７  押圧ピン
７８  バネ
８１  棒体
８２  透孔
９２、９３  電路
９３Ｄ  スイッチ可動接点
９４Ａ  摺動レール
９４Ｂ  段部
９５  操作部
【図１】
2011060734.tif 000003
【図２】
2011060734.tif 000004
【図３】
2011060734.tif 000005
【図４】
2011060734.tif 000006
【図５】
2011060734.tif 000007
【図６】
2011060734.tif 000008
【図７】
2011060734.tif 000009
【図８】
2011060734.tif 000010
【図９】
2011060734.tif 000011
【図１０】
2011060734.tif 000012
【図１１】
2011060734.tif 000013
【図１２】
2011060734.tif 000014
【図１３】
2011060734.tif 000015
【図１４】
2011060734.tif 000016
【図１５】
2011060734.tif 000017